(57)【要約】【課題】原稿の表裏の合成画像を生成してディスプレイ表示することによって原稿の内容が却って分かりにくくなってしまう不都合を防止することができるスキャナ装置を提供することを目的とする。【解決手段】取得した原稿８の画像２２を貼り付けるワークエリア３０内に予め設定しておいたフレーム３１と、画像取得後にワークエリア３０に貼り付けた原稿８の画像２２とを比較し、ワークエリア３０に貼り付けた画像２２がフレーム３１の内側に収まるときにはその原稿８の表裏の画像２２の合成画像を生成してディスプレイ６に表示させるが、ワークエリア３０に貼り付けた画像２２がフレーム３１の内側に収まらない（外側にはみ出る）ときには、その原稿８については表裏の画像２２の合成画像を生成することなく、表裏それぞれの単独の画像２２をディスプレイ６に表示させる。【選択図】図９
2008131129.tif 000002
【特許請求の範囲】
【請求項１】
給紙された原稿の読み取りを行う原稿読み取り手段と、原稿読み取り手段を駆動して原稿の表裏の画像を取得する画像取得手段と、画像取得手段により取得された原稿の表裏の画像から合成画像を生成してディスプレイに表示させる合成画像生成手段とを備えたスキャナ装置であって、
画像取得手段により取得された原稿の画像が貼り付けられるワークエリア内にフレームを設定するフレーム設定手段と、画像取得手段により取得された原稿の画像をワークエリアに貼り付ける画像貼り付け手段とを備え、
合成画像生成手段は、画像貼り付け手段によりワークエリアに貼り付けられた画像とフレーム設定手段により設定されたフレームとを比較し、ワークエリアに貼り付けられた画像がフレームの内側に収まらないと判断したとき、その原稿については表裏の画像の合成画像を生成することなく、表裏それぞれの単独の画像をディスプレイに表示させることを特徴とするスキャナ装置。
【請求項２】
給紙された原稿の読み取りを行う原稿読み取り手段と、原稿読み取り手段を駆動して原稿の表裏の画像を取得する画像取得手段と、画像取得手段により取得された原稿の表裏の画像から合成画像を生成してディスプレイに表示させる合成画像生成手段とを備えたスキャナ装置であって、
合成画像のレイアウトを原稿の表裏の画像を上下に並べる上下レイアウト及び原稿の表裏の画像を左右に並べる左右レイアウトのいずれかに設定するレイアウト設定手段と、画像取得手段により取得された原稿の画像から原稿が縦長及び横長のいずれであるかの判定を行う判定手段とを備え、
合成画像生成手段は、レイアウト設定手段により上下レイアウトが設定されており、かつ判定手段により原稿が縦長であると判定されているとき、及びレイアウト設定手段により左右レイアウトが設定されており、かつ判定手段により原稿が横長原稿であると判定されているときには、その原稿については表裏の画像の合成画像を生成することなく、表裏それぞれの単独の画像をディスプレイに表示させることを特徴とするスキャナ装置。
【発明の詳細な説明】
【技術分野】
【０００１】
本発明は、原稿の両面を読み取って得られた原稿の表裏の画像から合成画像を生成して表示する機能を備えたスキャナ装置に関するものである。
【背景技術】
【０００２】
給紙された原稿の読み取りを行ってその画像をディスプレイ等に出力するスキャナ装置の中には、原稿の両面を読み取って得られた原稿の表裏の画像から合成画像を生成して表示する機能を備えたものが知られている。合成画像のレイアウトとしては、例えば、表裏の画像を上下や左右に並べるものがあり、ユーザは予め用意された複数のレイアウトの中から任意に選択できるようになっている。合成画像はディスプレイの画面内に収まるように自動的に縮小されるので、ユーザは原稿の表裏の内容を１つのディスプレイ画像として見ることができる。
【特許文献１】特開平１１−１９１８３８号公報
【発明の開示】
【発明が解決しようとする課題】
【０００３】
しかしながら、上記従来のスキャナ装置では、読み取った原稿の全ての表裏の合成画像を生成していたため、原稿のサイズが比較的大きい場合には合成画像の縮小率が極めて大きくなり、原稿の表裏の画像を１つのディスプレイ画像として見ることによって却って原稿の内容が分かりにくくなってしまうという問題点があった。例えば、原稿の表裏の画像を上下に並べるレイアウトが設定されているとき、原稿が縦長であった場合には、合成画像はディスプレイの画面の上下方向に長く延びたものとなるため、縮小率は極めて大きくなって文字等が読みにくくなり、原稿の内容が分かりにくくなってしまう。これは、原稿の表裏の画像を左右に並べるレイアウトが設定されているとき、原稿が横長原稿であった場合においても同様である。
【０００４】
そこで本発明は、原稿の表裏の合成画像を生成してディスプレイ表示することによって原稿の内容が却って分かりにくくなってしまう不都合を防止することができるスキャナ装置を提供することを目的とする。
【課題を解決するための手段】
【０００５】
請求項１に記載のスキャナ装置は、給紙された原稿の読み取りを行う原稿読み取り手段と、原稿読み取り手段を駆動して原稿の表裏の画像を取得する画像取得手段と、画像取得手段により取得された原稿の表裏の画像から合成画像を生成してディスプレイに表示させる合成画像生成手段とを備えたスキャナ装置であって、画像取得手段により取得された原稿の画像が貼り付けられるワークエリア内にフレームを設定するフレーム設定手段と、画像取得手段により取得された原稿の画像をワークエリアに貼り付ける画像貼り付け手段とを備え、合成画像生成手段は、画像貼り付け手段によりワークエリアに貼り付けられた画像とフレーム設定手段により設定されたフレームとを比較し、ワークエリアに貼り付けられた画像がフレームの内側に収まらないと判断したとき、その原稿については表裏の画像の合成画像を生成することなく、表裏それぞれの単独の画像をディスプレイに表示させる。
【０００６】
請求項２に記載のスキャナ装置は、給紙された原稿の読み取りを行う原稿読み取り手段と、原稿読み取り手段を駆動して原稿の表裏の画像を取得する画像取得手段と、画像取得手段により取得された原稿の表裏の画像から合成画像を生成してディスプレイに表示させる合成画像生成手段とを備えたスキャナ装置であって、合成画像のレイアウトを原稿の表裏の画像を上下に並べる上下レイアウト及び原稿の表裏の画像を左右に並べる左右レイアウトのいずれかに設定するレイアウト設定手段と、画像取得手段により取得された原稿の画像から原稿が縦長及び横長のいずれであるかの判定を行う判定手段とを備え、合成画像生成手段は、レイアウト設定手段により上下レイアウトが設定されており、かつ判定手段により原稿が縦長であると判定されているとき、及びレイアウト設定手段により左右レイアウトが設定されており、かつ判定手段により原稿が横長原稿であると判定されているときには、その原稿については表裏の画像の合成画像を生成することなく、表裏それぞれの単独の画像をディスプレイに表示させる。
【発明の効果】
【０００７】
本発明におけるスキャナ装置では、読み取った原稿の全てについて表裏の合成画像を生成するのではなく、読み取った原稿の画像が所定の条件を満たす場合には、その原稿については合成画像を生成することなく、表裏それぞれの単独の画像を生成させる。このため原稿の表裏の合成画像を生成してディスプレイ表示することによって原稿の内容が却って分かりにくくなってしまう不都合を防止することができる。
【発明を実施するための最良の形態】
【０００８】
図１は本発明の一実施の形態におけるスキャナ装置の構成図、図２は本発明の一実施の形態におけるスキャナ装置の制御系統のブロック図、図３は本発明の一実施の形態におけるスキャン画像の一例を示す図、図４は本発明の一実施の形態における原稿の画像をワークエリアに貼り付けた状態の一例を示す図、図５は本発明の一実施の形態におけるレイアウト選択画面の一例を示す図、図６は本発明の一実施の形態におけるフレーム設定画面の一例を示す図、図７は本発明の一実施の形態におけるプルダウンメニューの一例を示す図、図８（ａ），（ｂ）及び図９（ａ），（ｂ）は本発明の一実施の形態におけるワークエリア内に貼り付けられた原稿の画像の例を示す図、図１０（ａ），（ｂ）は本発明の一実施の形態における合成画像のディスプレイ画面上での表示例を示す図、図１１は本発明の一実施の形態におけるスキャナ装置の動作手順を示すフローチャートである。
【０００９】
図１及び図２において、スキャナ装置１はスキャナ２とパーソナルコンピュータ３が通信ケーブル７によって接続されて成っている。スキャナ２はパーソナルコンピュータ３から制御され、給紙トレイ２ａから給紙された原稿８をピックアップして内部に引き込み、原稿８の表裏両面の読み取りを行った後、排紙トレイ２ｂに排出する。原稿８の読み取りはパーソナルコンピュータ３のＣＰＵ（Ｃｅｎｔｒａｌ  Ｐｒｏｃｅｓｓｉｎｇ  Ｕｎｉｔ）４により制御された画像取得部２ｃがＣＣＤ（Ｃｈａｒｇｅ  Ｃｏｕｐｌｅｄ  Ｄｅｖｉｃｅｓ）等の原稿読み取り部２ｄを駆動して行う。ここで、スキャナ２は原稿８の表裏両面を同時に読み取っていくタイプのものであってもよいし、片面ずつ順番に読み取っていくタイプのものであってもよい。なお、スキャナ２の画像取得部２ｃは、本スキャナ装置１において、給紙された原稿８の読み取りを行う原稿読み取り手段を構成する。
【００１０】
スキャナ２の原稿読み取り部２ｄは、給紙トレイ２ａから給紙された原稿８のタイプ、すなわち原稿のサイズ（版）の如何によらず、常に原稿読み取り部２ｄが読み取り可能な最大の読み取り領域で原稿８を読み取る。このためスキャナ２にはサイズが異なる原稿８を一括して給紙することができる。ただし、スキャナ２の最大の読み取り領域に近いサイズの原稿８については、給紙トレイ２ａに設けられたガイドによって挿入方向が制限される。
【００１１】
図１及び図２において、パーソナルコンピュータ３はＣＰＵ４、キーボード５ａとマウス５ｂからなる入力装置５及び出力装置としてのディスプレイ６を備え、ＣＰＵ４は画像切り出し部４ａ、画像貼り付け部４ｂ、原稿タイプ判定部４ｃ、モード設定部４ｄ、レイアウト設定部４ｅ、フレーム設定部４ｆ、合成画像生成部４ｇを有する。
【００１２】
スキャナ２による原稿８の読み取り工程によって得られた原稿８の画像（スキャン画像２０とする。図３）は通信ケーブル７を介してパーソナルコンピュータ３のＣＰＵ４に送信される。前述のようにスキャナ２は給紙される原稿８のサイズによらず最大の読み取り領域で原稿８を読み取るので、スキャン画像２０はスキャナ２が読み取ることができる最大の読み取り領域に相当する外形を有する矩形黒色の背景の画像２１の中に、読み取った原稿８の画像２２が矩形白色の領域として存在したものとなる。
【００１３】
ＣＰＵ４の画像切り出し部４ａは、スキャナ２から送信された原稿８の表裏のスキャン画像２０に対して画像の切り出しを行う。画像の切り出しとは、スキャン画像２０の中から原稿８の画像２２に相当する部分だけを切り出す作業であり、スキャン画像２０から図３に示す原稿８の四隅の４点２２ａ，２２ｂ，２２ｃ，２２ｄを検出することによって原稿８の画像２２の領域を確定し、その確定した領域の内部の画像２２だけを取り出して（すなわち背景の画像２１を捨てて）これを原稿８の画像２２とする。このようにして得られた原稿８の画像２２はその元となったスキャン画像２０と置換される。
【００１４】
ＣＰＵ４の画像貼り付け部４ｂは、画像切り出し部４ａにおいて得られた原稿８の表裏の画像２２のうちの一方を、スキャナ２の画像取得部２ｃにより取得された原稿８の画像２２の貼り付け場所として予め用意されたワークエリア３０に貼り付ける（図４）。この原稿８のワークエリア３０への貼り付けは、画像２２の一隅がワークエリア３０の一隅と一致（本例では画像２２の左上の隅２２ａとワークエリア３０の左上の隅３０ａと一致）するようにして行う。なお、このＣＰＵ４の画像貼り付け部４ｂは、本スキャナ装置１において、スキャナ２の画像取得部２ｃにより取得された原稿８の画像２２をワークエリア３０に貼り付ける画像貼り付け手段を構成する。
【００１５】
ＣＰＵ４の原稿タイプ判定部４ｃは、画像貼り付け部４ｂによってワークエリア３０に貼り付けられた原稿８の画像２２から、スキャナ２が読み取った原稿８のタイプの判定、すなわち原稿８のサイズ（版）の判定と、原稿８が縦長原稿及び横長原稿のいずれであるかの判定とを行う。ここで、「縦長原稿」とはスキャナ２の二次走査方向に長い原稿のことであり（図８（ａ）、図９（ｂ）、）「横長原稿」とはスキャナ２の一次走査方向に長い原稿のことである（図８（ｂ）、図９（ａ））。
【００１６】
図４において、原稿８のサイズの判定は、ワークエリア３０に貼り付けられた画像２２の縦寸法Ｌ１と横寸法Ｌ２を検出して行う。また、原稿８が縦長原稿及び横長原稿のいずれであるかの判定は、検出した画像２２の縦寸法Ｌ１と横寸法Ｌ２との比率を計算することによって行う。なお、このＣＰＵ４の原稿タイプ判定部４ｃは、本スキャナ装置１において、スキャナ２の画像取得２ｃにより取得された原稿８の画像２２から原稿８が縦長及び横長のいずれであるかの判定を行う判定手段を構成する。
【００１７】
ＣＰＵ４のモード設定部４ｄは、スキャナ２による原稿８の読み取りが開始される前に、ユーザが入力装置５から行うモード設定操作に従って、本スキャナ装置１の動作モードを、合成画像作成を制限しない「第１モード」、合成画像作成の制限をユーザの設定に応じて行う「第２モード」、合成画像作成の制限を自動で行う「第３モード」のいずれかに設定する。このモード設定は入力装置５、すなわちキーボード５ａやマウス５ｂ等を操作して、ディスプレイ６に表示される所定のモード選択画面から所望のモードを選択することによって行う。
【００１８】
レイアウト設定部４ｅは、スキャナ２による原稿８の読み取りが開始される前にディスプレイ６上にレイアウト設定画面（図５）を表示させるとともに、ユーザが行うレイアウト設定操作に従って、原稿８の表裏の合成画像のレイアウト設定を行う。
【００１９】
図５において、レイアウト選択画面は２つの原稿様式と４つの合成様式の組み合わせからなる計８つの様式からマウス５ｂのクリック操作等により選択できるようになっている。原稿様式は原稿８の表裏それぞれの紙面の向きに関連しており、「ブック型」と「カレンダー型」の２種がある。ここで、「紙面の向き」とは、原稿８に記載された文章や図などをユーザが見たときにその紙面に対して認識する上下の向きのことである。「ブック型」は、例えば左右見開き型の本の各紙面のように、紙面の上下をそのままにして裏返したときにその裏返しの前後で原稿の向きが変わらない様式の原稿８であり、「カレンダー型」は、例えば上下見開き型のカレンダーの各紙面のように、紙面の左右をそのままにして裏返したときにその裏返しの前後で原稿の向きが変わらない様式の原稿８である。
【００２０】
一方、合成様式は原稿８の表裏の画像２２の配置に関連しており、原稿８の表面の画像２２と裏面の画像２２を左から右に並べる左右レイアウトの第１様式（図５（ａ））、表面の画像２２と裏面の画像２２を右から左に並べる左右レイアウトの第２様式（図５（ｂ））、表面の画像２２と裏面の画像２２を上から下に並べる上下レイアウトの第１様式（図５（ｃ））及び表面の画像２２と裏面の画像２２を下から上に並べる上下レイアウトの第２様式（図５（ｄ））の４種がある。ここで、図５中の数字「１」は原稿８の表面の画像２２、数字「２」は原稿８の裏面の画像２２を示しており、数字が正立したものは読み取った原稿８の画像２２をそのまま表示したもの、数字が倒立したものは読み取った原稿８の画像２２を倒立させて表示したものを示している。なお、このＣＰＵ４のレイアウト設定部４ｅは、本スキャナ装置１において、合成画像のレイアウトを原稿８の表裏の画像２２を上下に並べる上下レイアウト及び原稿８の表裏の画像を左右に並べる左右レイアウトのいずれかに設定するレイアウト設定手段を構成する。
【００２１】
ＣＰＵ４のフレーム設定部４ｆは、モード設定部４ｄにおいて「第２モード」が設定されている場合にのみ動作し、スキャナ２による原稿８の読み取りが開始される前にディスプレイ６上にフレーム設定画面（図６）を表示させるとともに、ユーザが行うフレーム設定操作に従って前述のワークエリア３０内にフレーム３１の設定を行う。
【００２２】
図６のフレーム設定画面において、フレーム３１の左上の隅３１ａはワークエリア３０の左上の隅３０ａに固定されているが、マウス５ｂによってフレーム３１の右下の隅３１ｂをつかんで斜め方向に移動したり、下側の横線３１ｃをつかんで上下方向に移動したり、右側の縦線３１ｄをつかんで左右方向に移動したりすることによって、フレーム３１の形及び大きさを矩形のままで自在に変化させることができる。
【００２３】
或いは、フレーム設定画面中に示されるプルダウンメニューに予め用意された原稿８のタイプ（サイズと向きの組み合わせ）に対応するフレーム３１のタイプの中から選択できるようにしてもよい。図７はこのようなプルダウンメニューの一例であり、図７中の矢印のボタン４１をクリックしたときに、設定し得るフレーム３１のタイプの一覧が表示された様子を示している。表示されたフレーム３１のタイプの一覧からマウス５ｂによって所望のタイプを選択すると、その選択したタイプのフレーム３１が左上の隅３１ａをワークエリア３０の左上の隅３０ａに固定させたまま、ワークエリア３０上に可変設定される。フレーム３１の設定が終了したら、マウス５ｂで所定の操作を行ってそのフレーム３１を確定させる。なお、このＣＰＵ４のフレーム設定部４ｆと入力装置５は、本スキャナ装置１において、フレーム設定手段を構成する。
【００２４】
合成画像生成部４ｇは、原稿タイプ判定部４ｃを経由して入力された原稿８の表裏の画像２２を合成し、レイアウト設定部４ｅにおいて設定されたレイアウトになるように合成画像を生成する。具体的には、ユーザにより「ブック型」のレイアウトが設定されていたときには、画像切り出し部４ａにおいて得られた原稿８の表裏の画像２２をそのままの向きで左右又は上下に並べて合成画像を生成し、ユーザにより「カレンダー型」のレイアウトが設定されていたときには、画像切り出し部４ａにおいて得られた原稿８の表面の画像２２はそのままの向きで、原稿８の裏面の画像２２は天地を逆転させて、左右又は上下に並べて合成画像を生成する。
【００２５】
合成画像を生成したら、合成画像生成部４ｇは続いてその合成画像をディスプレイ６に表示させる。このとき、合成画像がディスプレイ６の領域内に収まるようにその画像を最適の縮小比率で縮小する。これよりユーザは原稿８の表裏の内容をディスプレイ６の１つの画像として見ることができる。なお、このＣＰＵ４の合成画像生成部４ｇは、本スキャナ装置１において、取得された原稿８の表裏の画像２２から合成画像を生成してディスプレイ６に表示させる合成画像生成手段を構成する。
【００２６】
但し、合成画像生成部４ｇは、モード設定部４ｄにおいて「第２モード」が設定されているときは、ワークエリア３０に貼り付けられた原稿８の画像２２と、予めワークエリア３０内に設定しておいたフレーム３１とを比較し、その結果、ワークエリア３０に貼り付けられた原稿８の画像２２が、設定されているフレーム３１の内部に収まらないと判断したときには、その原稿８については表裏の合成画像を生成しないようになっている。すなわち、図８（ａ），（ｂ）に示すように、ワークエリア３０内に貼り付けられた原稿８の画像がフレーム３１の内側に収まる場合には合成画像を生成してディスプレイ６に表示させるが、図９（ａ），（ｂ）に示すように、ワークエリア３０内に貼り付けられた原稿８の画像がフレーム３１の外側にはみ出ている場合には合成画像を生成することなく、表裏それぞれの画像２２をディスプレイ６に表示させる。
【００２７】
このためユーザは、「モード２」を選択したうえで、合成画像を生成させたくないと考える原稿８の画像２２がフレーム３１からはみ出るようなフレーム設定を予めしておけば、比較的大きいサイズの原稿８の表裏の合成画像がディスプレイ６に表示されたものの、縮小率が非常に大きいためにディスプレイ６上で原稿８の内容が読み取れないというようなことがない。
【００２８】
また、合成画像生成部４ｇは、モード設定部４ｄにおいて「第３モード」が設定されているときは、レイアウト設定部４ｅにより上下レイアウト（図５（ｃ）又は図５（ｄ））が設定されており、かつ原稿タイプ判定部４ｃにおいて原稿８が縦長原稿であると判定されているとき、及びレイアウト設定部４ｅにより左右レイアウト（図５（ａ）又は図５（ｂ））が設定されており、かつ原稿タイプ判定部４ｃにおいて原稿８が横長原稿であると判定されているときには、その原稿８については表裏の画像２２の合成画像を生成しないようになっている。
【００２９】
これは、縦長原稿の画像２２を上下に並べたレイアウトで合成画像を生成すると、その合成画像はディスプレイ６の画面上で上下方向に極端に細長く延びた形状となり（図１０（ａ））、また、横長原稿の画像２２を左右に並べたレイアウトで合成画像を生成すると、その合成画像はディスプレイ６の画面上で左右方向に極端に細長く延びた形状となるからであり（図１０（ｂ））、いずれの場合であっても原稿８のサイズが比較的大きい場合には、ディスプレイ６に表示する際の縮小率が非常に大きくなってしまい、ディスプレイ６上での原稿８の内容が読み取りにくくなるからである。
【００３０】
次に、本スキャナ装置１により給紙トレイ２ａに給紙された原稿８の表裏両面を読み取って合成画像を生成し、ディスプレイ６に表示する一連の工程をＣＰＵ４が行う手順を図１１のフローチャートを用いて説明する。なお、この一連の工程が開始される以前に、前述の要領でモード設定とレイアウト設定がなされており、更にモード設定において「第２モード」を設定した場合にはフレーム３１の設定もなされているものとする。
【００３１】
図１１において、ＣＰＵ４は初めにスキャナ２を駆動して原稿８の表裏両面の読み取りを行い（Ｓ１）、原稿８の表裏のスキャン画像２０を取得する（Ｓ２）。Ｓ２が終了したら、原稿８の表面のスキャン画像に対して画像切り出しを行って原稿８の表面の画像２２と裏面の画像２２を得る（Ｓ３）。
【００３２】
Ｓ３が終了したら、Ｓ３で得られた原稿８の表面の画像２２若しくはＳ４で得られた原稿８の裏面の画像２２をワークエリア３０に貼り付ける（Ｓ４）。そして、そのワークエリア３０に貼り付けた画像２２から、原稿８のタイプの判定、すなわち原稿８のサイズの判定と原稿８が縦型原稿及び横型原稿のいずれであるかの判定を行う（Ｓ５）。
【００３３】
Ｓ５が終了したら、現在設定されているモードの検知を行う（Ｓ６）。そして、現在設定されているモードが第１モードであった場合には、原稿８の表裏の画像２２を設定されたレイアウトに合成して合成画像を生成し（Ｓ７）、その合成画像をディスプレイ６に表示させる（Ｓ８）。
【００３４】
一方、Ｓ６において現在設定されているモードが第２モードであった場合には、Ｓ４においてワークエリア３０に貼り付けた原稿８の表裏の画像２２の一方が、予め設定したフレーム３１の内側に収まるか否かの判断を行う（Ｓ９）。その結果、Ｓ４においてワークエリア３０に貼り付けた原稿８の画像２２がフレーム３１の内側に収まるときにはＳ７に進んで合成画像の生成を行い、Ｓ４においてワークエリア３０に貼り付けた原稿８の画像２２がフレーム３１の外側にはみ出していたときには合成画像を生成せず、表裏それぞれの単独の画像２２をディスプレイ６に表示させる（Ｓ１０）。
【００３５】
また、Ｓ６において現在設定されているモードが第３モードであった場合には、続いて現在設定されているレイアウトの検知を行う（Ｓ１１）。そして、現在設定されているレイアウトが上下レイアウトであった場合には、更に、Ｓ５において原稿８が縦型原稿及び横型原稿のいずれに判定されたかの検知を行う（Ｓ１２）。その結果、横長原稿であった場合にはＳ７に進んで合成画像の生成を行い、縦長原稿であった場合には、合成画像を生成せず表裏それぞれの単独の画像をディスプレイ６に表示させる（Ｓ１３）。
【００３６】
一方、Ｓ６において現在設定されているモードが第３モードであった場合であって、現在設定されているレイアウトが左右レイアウトであった場合には、更に、Ｓ５において原稿８が縦型原稿及び横長原稿のいずれに判定されたかの検知を行う（Ｓ１４）。その結果、縦長原稿であった場合にはＳ７に進んで合成画像の生成を行い、横長原稿であった場合には、合成画像を生成せず表裏それぞれの単独の画像をディスプレイ６に表示させる（Ｓ１３）。
【００３７】
このように本スキャナ装置１の「第２モード」では、取得した原稿８の画像２２を貼り付けるワークエリア３０内に予め設定しておいたフレーム３１と、画像取得後にワークエリア３０に貼り付けた原稿８の画像２２とを比較し、ワークエリア３０に貼り付けた画像２２がフレーム３１の内側に収まるときにはその原稿８の表裏の画像２２の合成画像を生成してディスプレイ６に表示させるが、ワークエリア３０に貼り付けた画像２２がフレーム３１の内側に収まらない（外側にはみ出る）ときには、その原稿８については表裏の画像２２の合成画像を生成することなく、表裏それぞれの単独の画像２２をディスプレイ６に表示させるようになっている。
【００３８】
また本スキャナ装置１の「第３モード」では、上下レイアウトが設定されており、かつ原稿８が縦長原稿であったとき、及び左右レイアウトが設定されており、かつ原稿８が横長原稿であったときには、その原稿８については表裏の画像２２の合成画像を生成することなく、表裏それぞれの単独の画像２２をディスプレイ６に表示させるようになっている。
【００３９】
このため本実施の形態におけるスキャナ装置１では、読み取った原稿８の全てについて表裏の合成画像を生成するのではなく、読み取った原稿８の画像２２が所定の条件を満たす場合には、その原稿８については合成画像を生成することなく、表裏それぞれの単独の画像２２を生成させるので、原稿８の表裏の合成画像を生成してディスプレイ６に表示することによって原稿８の内容が却って分かりにくくなってしまう不都合を防止することができる。
【００４０】
これまで本発明の実施の形態について説明してきたが、本発明は上述の実施の形態に示したものに限定されない。例えば、上述の実施の形態では、本発明のスキャナ装置１がスキャナ２とパーソナルコンピュータ３を通信ケーブル７で繋いだ構成となっていたが、本実施の形態におけるパーソナルコンピュータ３の機能を内蔵した１台のスキャナによって本発明のスキャナ装置を構成するのであってもよい。
【産業上の利用可能性】
【００４１】
本発明におけるスキャナ装置によれば、原稿の表裏の合成画像を生成してディスプレイ表示することによって原稿の内容が却って分かりにくくなってしまう不都合を防止することができる。
【図面の簡単な説明】
【００４２】
【図１】本発明の一実施の形態におけるスキャナ装置の構成図
【図２】本発明の一実施の形態におけるスキャナ装置の制御系統のブロック図
【図３】本発明の一実施の形態におけるスキャン画像の一例を示す図
【図４】本発明の一実施の形態における原稿の画像をワークエリアに貼り付けた状態の一例を示す図
【図５】本発明の一実施の形態におけるレイアウト選択画面の一例を示す図
【図６】本発明の一実施の形態におけるフレーム設定画面の一例を示す図
【図７】本発明の一実施の形態におけるプルダウンメニューの一例を示す図
【図８】本発明の一実施の形態におけるワークエリア内に貼り付けられた原稿の画像の例を示す図
【図９】本発明の一実施の形態におけるワークエリア内に貼り付けられた原稿の画像の例を示す図
【図１０】本発明の一実施の形態における合成画像のディスプレイ画面上での表示例を示す図
【図１１】本発明の一実施の形態におけるスキャナ装置の動作手順を示すフローチャート
【符号の説明】
【００４３】
１    スキャナ装置
２    スキャナ
２ｃ    画像取得部（画像取得手段）
２ｄ    原稿読み取り部（原稿読み取り手段）
３    パーソナルコンピュータ
４    ＣＰＵ
４ａ    画像切り出し部
４ｂ    画像貼り付け部（画像貼り付け手段）
４ｃ    原稿タイプ判定部（判定手段）
４ｄ    モード設定部
４ｅ    レイアウト設定部（レイアウト設定手段）
４ｆ    フレーム設定部（フレーム設定手段）
４ｇ    合成画像生成部（合成画像生成手段）
５    入力装置（フレーム設定手段）
６    ディスプレイ
８    原稿
２２    画像
３０    ワークエリア
３１    フレーム
【図１】
2008131129.tif 000003
【図２】
2008131129.tif 000004
【図３】
2008131129.tif 000005
【図４】
2008131129.tif 000006
【図５】
2008131129.tif 000007
【図６】
2008131129.tif 000008
【図７】
2008131129.tif 000009
【図８】
2008131129.tif 000010
【図９】
2008131129.tif 000011
【図１０】
2008131129.tif 000012
【図１１】
2008131129.tif 000013